(57)【要約】      （修正有）【課題】携帯に便利であるとともに、複数のインターフェイスを切り替える機能を備えた、多機能切替えケーブルを提供する。【解決手段】ケーブル２と、ケーブルコネクタ１と、タップ部３と、少なくとも一つの切替えコネクタ５と、接続キット４とからなる。ケーブルコネクタ１は、前記ケーブル２の一端と電気的に接続される。タップ部３は、前記ケーブル２の他端と電気的に接続され、タップ部には、少なくとも一つのコネクタが設けられる。少なくとも一つの切替えコネクタ５は、前記タップ部３のコネクタに電気的に接続される。接続キット４には、輪部と少なくとも一つの連結段が設けられ、前記輪部は、前記タップ部３と接合され、前記連結段は、前記切替えコネクタ５と接合される。【選択図】図２
0003178764.tif 000002
【実用新案登録請求の範囲】
【請求項１】
ケーブルと、ケーブルコネクタと、タップ部と、少なくとも一つの切替えコネクタと、接続キットとからなる多機能切替えケーブルであって、
前記ケーブルコネクタは、前記ケーブルの一端に電気的に接続され、
前記タップ部は、前記ケーブルの他端に電気的に接続され、前記タップ部には少なくとも一つのコネクタが設けられ、
前記少なくとも一つの切替えコネクタは、前記タップ部のコネクタに電気的に接続され、
前記接続キットには、輪部と少なくとも一つの連結段が設けられ、前記輪部は前記タップ部に接合され、前記連結段は前記切替えコネクタに接合されることを特徴とする、多機能切替えケーブル。
【請求項２】
前記ケーブルコネクタはＵＳＢコネクタであることを特徴とする、請求項１に記載の多機能切替えケーブル。
【請求項３】
前記ケーブルコネクタは各種規格型式のコネクタであることを特徴とする、請求項１に記載の多機能切替えケーブル。
【請求項４】
前記切替えコネクタの外部には少なくとも一つの連結孔が設けられ、前記連結孔と前記連結段は連結されることを特徴とする、請求項１に記載の多機能切替えケーブル。
【請求項５】
前記接続キットには、少なくとも一つの凸部が設けられることを特徴とする、請求項１に記載の多機能切替えケーブル。
【請求項６】
前記輪部と前記タップ部の接合方式は、嵌め込み、貫通、接着、或いは、一体成型であることを特徴とする、請求項１に記載の多機能切替えケーブル。
【請求項７】
前記タップ部のコネクタには、ＵＳＢコネクタ、ＭＩＮＩ  ＵＳＢコネクタ、ＭＩＣＲＯ  ＵＳＢコネクタ、ＨＤＭＩコネクタ、タブレットＰＣコネクタ、スマートフォンコネクタ、コンピュータ及び通信機器及びコンシューマーエレクトロニクス製品のコネクタが接続されることを特徴とする、請求項１に記載の多機能切替えケーブル。
【請求項８】
前記切替えコネクタには、少なくとも二つの異なるインターフェイスのコネクタが設けられるとともに、少なくとも二つの異なるインターフェイスのコネクタは、前記切替えコネクタ内で電気的に接続されることを特徴とする、請求項１に記載の多機能切替えケーブル。
【請求項９】
前記切替えコネクタには、ＵＳＢコネクタ、ＭＩＮＩ  ＵＳＢコネクタ、ＭＩＣＲＯ  ＵＳＢコネクタ、ＨＤＭＩコネクタ、タブレットＰＣコネクタ、スマートフォンコネクタ、コンピュータ及び通信機器及びコンシューマーエレクトロニクス製品のコネクタが接続されることを特徴とする、請求項１に記載の多機能切替えケーブル。
【請求項１０】
前記接続キットは、ゴム、或いは、可塑性をもつ軟性材質からなることを特徴とする、請求項１に記載の多機能切替えケーブル。
【考案の詳細な説明】
【技術分野】
【０００１】
本考案は切替えケーブルに関し、特に携帯に便利であるとともに、複数のインターフェイスを切り替えるコネクタを備えた、多機能切替えケーブルに関する。
【背景技術】
【０００２】
従来の切り替え製品の中で良く見られる、二つのＵＳＢコネクタ或いはその他のコネクタを備えたマルチ切替えコネクタ製品を用いることで、使用者は、自由に取り付け取り外しして必要なインターフェイスを使用することができる。しかしながら、取り外し可能であるため、複数のコネクタを携帯すると、コネクタを失くしてしまいやすく、切替えコネクタを失くしてしまうと、前記インターフェイスを使用できなくなってしまう。このことから分かるように、従来の切替え製品には問題と欠点が存在するため、改善が待たれている。
【考案の概要】
【考案が解決しようとする課題】
【０００３】
そこで、本考案は、携帯に便利であるとともに、複数のインターフェイスを切り替える機能を備えた、多機能切替えケーブルを提供することを目的とする。
【０００４】
また、本考案は、よく使うインターフェイスコネクタを連結して、携帯者が失くしてしまうのを防ぐことができる多機能切替えケーブルを提供することを目的とする。
【課題を解決するための手段】
【０００５】
本考案による多機能切替えケーブルは、ケーブルと、ケーブルコネクタと、タップ部と、少なくとも一つの切替えコネクタと、接続キットとからなる。ケーブルコネクタは、前記ケーブルの一端と電気的に接続される。タップ部は、前記ケーブルの他端と電気的に接続され、タップ部には、少なくとも一つのコネクタが設けられる。少なくとも一つの切替えコネクタは、前記タップ部のコネクタに電気的に接続される。接続キットには、輪部と少なくとも一つの連結段が設けられ、前記輪部は、前記タップ部と接合され、前記連結段は、前記切替えコネクタと接合される。
【０００６】
好ましくは、前記ケーブルコネクタはＵＳＢコネクタである。
【０００７】
好ましくは、前記ケーブルコネクタは各種規格型式のコネクタである。
【０００８】
好ましくは、前記切替えコネクタの外部には少なくとも一つの連結孔が設けられ、前記連結孔と前記連結段は連結される。
【０００９】
好ましくは、前記接続キットは、少なくとも一つの凸部を備える。
【００１０】
好ましくは、前記輪部と前記タップ部の接合方式は、嵌め込み、貫通、接着、或いは、一体成型である。
【００１１】
好ましくは、前記タップ部のコネクタには、ＵＳＢコネクタ、ＭＩＮＩ  ＵＳＢコネクタ、ＭＩＣＲＯ  ＵＳＢコネクタ、ＨＤＭＩコネクタ、タブレットＰＣコネクタ、スマートフォンコネクタ、コンピュータ及び通信機器及びコンシューマーエレクトロニクス製品のコネクタが接続される。
【００１２】
好ましくは、前記切替えコネクタには、少なくとも二つの異なるインターフェイスのコネクタが設けられるとともに、少なくとも二つの異なるインターフェイスのコネクタは、前記切替えコネクタ内で電気的に接続される。  
【００１３】
好ましくは、前記切替えコネクタには、ＵＳＢコネクタ、ＭＩＮＩ  ＵＳＢコネクタ、ＭＩＣＲＯ  ＵＳＢコネクタ、ＨＤＭＩコネクタ、タブレットＰＣコネクタ、スマートフォンコネクタ、コンピュータ及び通信機器及びコンシューマーエレクトロニクス製品のコネクタが接続される。
【００１４】
好ましくは、前記接続キットは、ゴム、或いは、可塑性をもつ軟性材質からなる。
【図面の簡単な説明】
【００１５】
【図１】従来の切替え製品の斜視図である。
【図２】本考案の外観を示した斜視図である。
【図３】本考案の接続キットと切替えコネクタの組合せ関係を示した説明図である。
【図４】本考案の接続キットとタップ部の組合せ関係を示した説明図である。
【図５】本考案の実施例を示した説明図である。
【考案を実施するための形態】
【００１６】
図１を参照する。図１は、従来の切替え製品２００を示した斜視図である。切替えコネクタが多く、携帯の際に失くしてしまいインターフェイスを使えなくなりやすい。
【００１７】
図２を参照する。図２は、本考案の外観を示した斜視図である。本考案による多機能切替えケーブル１００は、ケーブルコネクタ１と、ケーブル２と、タップ部３と、接続キット４と、二つの切替えコネクタ５、６と、からなる。
【００１８】
図３と図４に示すように、切替えコネクタ５、６は、上下ケースを組み合わせてなる。切替えコネクタ５及び切替えコネクタ６のケースの側辺には、それぞれ、連結孔５２ａ、５２ｂ及び６２ａ、６２ｂが設けられ、上下に接合させた時に接続キットの端末の凸部４３を入れることで、切替えコネクタ５、６は二つの連結段４２によって繋がった形態になる。二つの連結段４２内には、輪部４１が設けられ、タップ部３と接合される。なお、接合方式は、嵌め込み、貫通、接着、或いは、一体成型である。嵌め込みの接合方式を使用する時は、輪口４１１に嵌め込んで接合する。また、切替えコネクタ５、６は、その上の連結溝５１、６１を介して、タップ部のコネクタ３１、３２に連結される。それにより、タップ３は、接続キット４を介して切替えコネクタ５、６に接続され、必要な切替えコネクタを失くさない効果がある。
【００１９】
図５を参照する。図５は、本考案の実施例である。切替えコネクタ５、６を、タップ部３のコネクタにそれぞれ差し込むことにより、切替えコネクタ５、６を介してスムーズにケーブルコネクタ１のインターフェイスの切り替えを行うことができる。
【００２０】
どこに出張や旅行に行っても、本考案を、ＰＣ、ＮＢ、車載用充電器、ＡＣ／ＵＳＢ変換充電器等と併せて使用することで、ケーブルをしょっちゅう交換することなく、コンピュータ及び通信機器及びコンシューマーエレクトロニクスのコネクタ製品の充電やデータの転送を行うことができ、行動が便利になる。
【符号の説明】
【００２１】
１      ケーブルコネクタ
２      ケーブル
３      タップ部
３１    コネクタ
３２    コネクタ
４      接続キット
４１    輪部
４１１  輪口
４２    連結段
４３    凸部
５      切替えコネクタ
５１    連結溝
５２ａ、５２ｂ      連結孔
６      切替えコネクタ
６１    連結溝
１００  多機能切替えケーブル
２００  従来の切替え製品
【図１】
0003178764.tif 000003
【図２】
0003178764.tif 000004
【図３】
0003178764.tif 000005
【図４】
0003178764.tif 000006
【図５】
0003178764.tif 000007